(57)【要約】【課題】４ｋ、２ｋ３Ｄ、２ｋ２Ｄの画像表示時にプロジェクタへの画像信号供給を適切に行う。【解決手段】４ｋ表示時、デコード部は４ｋ画像表示用の符号化データストリームに対して復号化処理をして４ｋ(4096×2160画素の解像度)の画像信号を得、出力変換部１０４は４ｋ画像信号を構成する各画素の信号を、左上、左下、右上、右下の４領域の信号に振り分けて端子ＯＴ１，ＯＴ２，ＯＴ３，ＯＴ４に出力する。２ｋ３Ｄ表示時、デコード部は２ｋ３Ｄ画像表示用の符号化データストリームに対して復号化処理をして２ｋ(2048×1080画素の解像度)の左目画像信号ＳＬ、右目画像信号ＳＲを得、出力変換部１０４は、信号ＳＬ，ＳＲを端子ＯＴ１，ＯＴ３に出力する。２ｋ２Ｄ表示時、デコード部は２ｋ２Ｄ画像表示用の符号化データストリームに対して復号化処理をして２ｋの画像信号ＳＡを得、出力変換部１０４は、信号ＳＡを、端子ＯＴ１、ＯＴ３の双方に出力する。【選択図】図７
2010124352.tif 000002
【特許請求の範囲】
【請求項１】
所定の符号で符号化されている入力符号化画像信号を復号化して画像信号を得るデコード部と、
上記デコード部で得られた上記画像信号を構成する各画素の信号を画面に対応付けて出力する出力部を備え、
上記入力符号化画像信号が、第１の解像度の画像信号が上記所定の符号で符号化されて得られた第１の符号化画像信号であるとき、
上記デコード部は、上記第１の符号化画像信号を復号化して上記第１の解像度の画像信号を得、
上記出力部は、上記デコード部で得られた上記第１の解像度の画像信号を構成する各画素の信号を、左上画像領域の信号は左上画面用の信号として出力し、左下画像領域の信号は左下画面用の信号として出力し、右上画像領域の信号は右上画面用の信号として出力し、右下画像領域の信号は右下画面用の信号として出力し、
上記入力符号化画像信号が、上記第１の解像度に対して水平、垂直の画素数が半分とされた第２の解像度の左目画像信号および右目画像信号が上記所定の符号で符号化されて得られた第２の符号化画像信号であるとき、
上記デコード部は、上記第２の符号化画像信号を復号化して上記第２の解像度の左目画像信号および右目画像信号を得、
上記出力部は、上記デコード部で得られた上記第２の解像度の左目画像信号を構成する各画素の信号を、上記左上画面用の信号、上記左下画面用の信号、上記右上画面用の信号、上記右下画面用の信号のうちの一つである第１の画面用の信号として出力し、上記デコード部で得られた上記第２の解像度の右目画像信号を構成する各画素の信号を、上記左上画面用の信号、上記左下画面用の信号、上記右上画面用の信号、上記右下画面用の信号のうちの他の一つである第２の画面用の信号として出力する
画像信号処理装置。
【請求項２】
上記デコード部は、第１のデコード処理部と、第２のデコード処理部を有し、
上記第１の符号化画像信号は、上記第２の解像度の成分と、上記第１の解像度の成分を持ち、
上記入力符号化画像信号が上記第１の符号化画像信号であるとき、
上記第１のデコード処理部は、上記第２の解像度の成分を用いた復号化処理を行って上記第２の解像度の画像信号を得ると共に、
上記第２のデコード処理部は、上記第１のデコード処理部で得られた上記第２の解像度の画像信号と上記第１の解像度の成分を用いた復号化処理を行って上記第１の解像度の画像信号を得、
上記入力符号化画像信号が上記第２の符号化画像信号であるとき、
上記第１のデコード処理部は、上記第２の解像度の左目画像信号成分、または上記第２の解像度の右目画像信号成分を用いた復号化処理を行って、上記第２の解像度の左目画像信号、または上記第２の解像度の右目画像信号を得ると共に、
上記第２のデコード処理部は、上記第２の解像度の右目画像信号成分、または上記第２の解像度の左目画像信号成分を用いた復号化処理を行って、上記第２の解像度の右目画像信号、または上記第２の解像度の左目画像信号を得る
請求項１に記載の画像信号処理装置。
【請求項３】
上記第１のデコード処理部および上記第２のデコード処理部は、それぞれデジタルシグナルプロセッサで構成され、
少なくも、上記第２のデコード処理部は、上記入力符号化画像信号が上記第１の符号化画像信号であるときと、上記入力符号化画像信号が上記第２の符号化画像信号であるときとで、ファームウェアの切り換えが行われる
請求項２に記載の画像信号処理装置。
【請求項４】
上記ファームウェアの切り換えは、外部のパーソナルコンピュータからファームウェアをダウンロードすることで行われる
請求項３に記載の画像信号処理装置。
【請求項５】
上記入力符号化画像信号が、上記第２の解像度の画像信号が上記所定の符号で符号化された第３の符号化画像信号であるとき、
上記デコード部は、上記第３の符号化画像信号を復号化して上記第２の解像度の画像信号を得、
上記出力部は、上記デコード部で得られた上記第２の解像度の画像信号を構成する各画素の信号を、上記第１の画面用の信号として出力すると共に、上記第２の画面用の信号として出力する
請求項１に記載の画像信号処理装置。
【請求項６】
上記所定の符号は、ＪＰＥＧ２０００である
請求項１に記載の画像信号処理装置。
【請求項７】
所定の符号で符号化されている入力符号化画像信号を復号化して画像信号を得るデコードステップと、
上記デコードステップで得られた上記画像信号を構成する各画素の信号を画面に対応付けて出力する出力ステップを備え、
上記入力符号化画像信号が、第１の解像度の画像信号が上記所定の符号で符号化されて得られた第１の符号化画像信号であるとき、
上記デコードステップでは、上記第１の符号化画像信号を復号化して上記第１の解像度の画像信号を得、
上記出力ステップでは、上記デコードステップで得られた上記第１の解像度の画像信号を構成する各画素の信号を、左上画像領域の信号は左上画面用の信号として出力し、左下画像領域の信号は左下画面用の信号として出力し、右上画像領域の信号は右上画面用の信号として出力し、右下画像領域の信号は右下画面用の信号として出力し、
上記入力符号化画像信号が、上記第１の解像度に対して水平、垂直の画素数が半分とされた第２の解像度の左目画像信号および右目画像信号が上記所定の符号で符号化されて得られた第２の符号化画像信号であるとき、
上記デコードステップでは、上記第２の符号化画像信号を復号化して上記第２の解像度の左目画像信号および右目画像信号を得、
上記出力ステップでは、上記デコードステップで得られた上記第２の解像度の左目画像信号を構成する各画素の信号を、上記左上画面用の信号、上記左下画面用の信号、上記右上画面用の信号、上記右下画面用の信号のうちの一つである第１の画面用の信号として出力し、上記デコードステップで得られた上記第２の解像度の右目画像信号を構成する各画素の信号を、上記左上画面用の信号、上記左下画面用の信号、上記右上画面用の信号、上記右下画面用の信号のうちの他の一つである第２の画面用の信号として出力する
画像信号処理方法。
【発明の詳細な説明】
【技術分野】
【０００１】
この発明は、画像信号処理装置および画像信号処理方法に関する。詳しくは、立体画像用の左目画像信号および右目画像信号を供給する画像信号処理装置等に関する。
【背景技術】
【０００２】
近年、液晶パネルの高解像度化が進み、有効画素数にして２０４８×１０８０程度の解像度の画像信号（２ｋ画像信号）に対応可能な液晶パネルが普及してきている（例えば、特許文献１，２参照）。さらに、有効画素数にして４０９６×２１６０程度の解像度の画像信号（４ｋ画像信号）に対応可能な液晶パネルも登場してきている。また、従来から１台のプロジェクタを用いて、左目画像と右目画像をスクリーンに投影して立体画像を表示する立体画像投射装置が提案されている（例えば、特許文献３参照）。
【特許文献１】特開２００３−３４８５９７号公報
【特許文献２】特開２００１−２８５８７６号公報
【特許文献３】特開２００７−２７１８２８号公報
【発明の開示】
【発明が解決しようとする課題】
【０００３】
例えば、４ｋ液晶パネルを搭載したプロジェクタにあって、スクリーンに４ｋ画像を表示する場合（４ｋ画像表示時）には、液晶パネルの画面全体に４ｋ画像を表示させる必要がある。また、この４ｋ液晶パネルを搭載したプロジェクタにあって、スクリーンに立体画像表示用の２ｋ左目画像および２ｋ右目画像を同時に表示する場合（２ｋ３Ｄ画像表示時）には、液晶パネルの画面の一部に２ｋ左目画像および２ｋ右目画像を同時に表示させる必要がある。そのためには、プロジェクタへの、４ｋ画像信号の供給、２ｋ左目画像および２ｋ右目画像信号の供給を適切に行う必要がある。
【０００４】
この発明の目的は、４ｋ画像表示時、２ｋ３Ｄ画像表示時等において、例えばプロジェクタへの画像供給を適切に行い得るようにすることにある。
【課題を解決するための手段】
【０００５】
この発明の概念は、
所定の符号で符号化されている入力符号化画像信号を復号化して上記画像信号を得るデコード部と、
上記デコード部で得られた上記画像信号を構成する各画素の信号を画面に対応付けて出力する出力部を備え、
上記入力符号化画像信号が、第１の解像度の画像信号が上記所定の符号で符号化されて得られた第１の符号化画像信号であるとき、
上記デコード部は、上記第１の符号化画像信号を復号化して上記第１の解像度の画像信号を得、
上記出力部は、上記デコード部で得られた上記第１の解像度の画像信号を構成する各画素の信号を、左上画像領域の信号は左上画面用の信号として出力し、左下画像領域の信号は左下画面用の信号として出力し、右上画像領域の信号は右上画面用の信号として出力し、右下画像領域の信号は右下画面用の信号として出力し、
上記入力符号化画像信号が、上記第１の解像度に対して水平、垂直の画素数が半分とされた第２の解像度の左目画像信号および右目画像信号が上記所定の符号で符号化されて得られた第２の符号化画像信号であるとき、
上記デコード部は、上記第２の符号化画像信号を復号化して上記第２の解像度の左目画像信号および右目画像信号を得、
上記出力部は、上記デコード部で得られた上記第１の解像度の左目画像信号を構成する各画素の信号を、上記左上画面用の信号、上記左下画面用の信号、上記右上画面用の信号、上記右下画面用の信号のうちの一つである第１の画面用信号の信号として出力し、上記デコード部で得られた上記第１の解像度の右目画像信号を構成する各画素の信号を、上記左上画面用の信号、上記左下画面用の信号、上記右上画面用の信号、上記右下画面用の信号のうちの他の一つである第２の画面用信号の信号として出力する
画像信号処理装置にある。
【０００６】
この発明において、デコード部により、所定の符号で符号化されている入力符号化画像信号が復号化されて画像信号が得られる。例えば、所定の符号は、ＪＰＥＧ２０００等である。入力符号化画像信号が第１の解像度の画像信号に係る第１の符号化画像信号であるとき、デコード部では、第１の符号化画像信号に対して復号化処理が行われて第１の解像度の画像信号が得られる。また、入力符号化画像信号が第１の解像度に対して水平、垂直の画素数が半分とされた第２の解像度の左目画像信号および右目画像信号に係る第２の符号化画像信号であるとき、デコード部では、第２の符号化画像信号に対して復号化処理が行われて第２の解像度の左目画像信号および右目画像信号が得られる。
【０００７】
また、出力部により、デコード部で得られた画像信号を構成する各画素の信号を画面に対応付けて出力される。入力符号化画像信号が第１の符号化画像信号であるとき、出力部では、デコード部で得られた第１の解像度の画像信号を構成する各画素の信号が、左上画像領域の信号は左上画面用の信号として出力され、左下画像領域の信号は左下画面用の信号として出力され、右上画像領域の信号は右上画面用の信号として出力され、右下画像領域の信号は右下画面用の信号として出力される。また、入力符号化画像信号が第２の符号化画像信号であるとき、出力部では、デコード部で得られた第２の解像度の左目画像信号を構成する各画素の信号が、左上、左下、右上、右下の各画面用の信号うちの一つである第１の画面用の信号として出力され、デコード部で得られた第２の解像度の右目画像信号を構成する各画素の信号が、左上、左下、右上、右下の各画面用の信号うちの他の一つである第２の画面用の信号として出力される。
【０００８】
このように、入力符号化画像信号が第１の解像度の画像信号に係る第１の符号化画像信号であるとき、第１の解像度の画像信号の左上、左下、右上、右下の各領域の画素信号がそれぞれ左上、左下、右上、右下の画面用信号として出力される。また、入力符号化画像信号が第１の解像度に対して水平、垂直の画素数が半分とされた第２の解像度の左目画像信号および右目画像信号に係る第２の符号化画像信号であるとき、第２の解像度の左目画像信号および右目画像信号がそれぞれ左上、左下、右上、右下の画面用信号のうちの第１および第２の画面用信号として出力される。
【０００９】
したがって、例えばプロジェクタへの画像供給が適切に行われる。例えば、第１の解像度の画像信号の左上、左下、右上、右下の各領域の画素信号がそれぞれ左上、左下、右上、右下の画面用信号としてプロジェクタに供給されるとき、このプロジェクタの表示画面の全体に第１の解像度の画像が表示され、この画像は通常の投射光学系（投射レンズ）を用いて、スクリーンに投射される。また、例えば、第２の解像度の左目画像信号および右目画像信号がそれぞれ第１および第２の画面用信号としてプロジェクタに供給されるとき、このプロジェクタの表示画面の一部に第２の解像度の左目画像および右目画像が同時に表示され、これらの画像は３Ｄ用の投射光学系を用いてスクリーンに重ねて投射される。
【００１０】
また、この発明において、例えば、デコード部は、第１のデコード処理部と、第２のデコード処理部を有し、第１の符号化画像信号は、第２の解像度の成分と、第１の解像度の成分を持ち、入力符号化画像信号が上記第１の符号化画像信号であるとき、第１のデコード処理部は、第２の解像度の成分を用いた復号化処理を行って第２の解像度の画像信号を得ると共に、第２のデコード処理部は、第１のデコード処理部で得られた第２の解像度の画像信号と第１の解像度の成分を用いた復号化処理を行って第１の解像度の画像信号を得、入力符号化画像信号が第２の符号化画像信号であるとき、第１のデコード処理部は、第２の解像度の左目画像信号成分、または第２の解像度の右目画像信号成分を用いた復号化処理を行って、第２の解像度の左目画像信号、または第２の解像度の右目画像信号を得ると共に、第２のデコード処理部は、第２の解像度の右目画像信号成分、または第２の解像度の左目画像信号成分を用いた復号化処理を行って、第２の解像度の右目画像信号、または第２の解像度の左目画像信号を得る、ようにされてもよい。
【００１１】
例えば、第１のデコード処理部および第２のデコード処理部は、それぞれデジタルシグナルプロセッサで構成され、少なくも、第２のデコード処理部は、入力符号化画像信号が第１の符号化画像信号であるときと、入力符号化画像信号が第２の符号化画像信号であるときとで、ファームウェアの切り換えが行われる。このファームウェアの切り換えは、例えば、外部のパーソナルコンピュータからファームウェアをダウンロードすることで行われる。
【００１２】
上述したように、デコード部が第１のデコード処理部と第２のデコード処理部を有する構成とされ、これら第１、第２のデコード処理部が、第１の符号化画像信号に対する復号化処理と第２の符号化画像信号に対する復号化処理に共通に用いられることで、デコード部を、回路規模を小さく、安価に構成できる。
【００１３】
また、この発明において、例えば、入力符号化画像信号が第２の解像度の画像信号が所定の符号で符号化された第３の符号化画像信号であるとき、デコード部は、第３の符号化画像信号を復号化して第２の解像度の画像信号を得、出力部は、デコード部で得られた第２の解像度の画像信号を構成する各画素の信号を、第１の画面用の信号として出力すると共に、第２の画面用の信号として出力する、ようにされてもよい。
【００１４】
この場合、例えば、プロジェクタには、同一の第２の解像度の画像信号がそれぞれ第１および第２の画面用信号として供給される。そのため、プロジェクタの表示画面の上述した第２の解像度の左目画像および右目画像の表示位置に、同一の第２の解像度の画像が表示され、これらの画像は３Ｄ用投射光学系を用いてスクリーンに重ねて投射される。すなわち、３Ｄ用投射光学系をそのまま用いて、スクリーンに第２の解像度の画像を表示できる。つまり、入力画像信号として第２の符号化画像信号と第３の符号化画像信号を切り換える度に投射光学系を交換する必要がなくなる。
【発明の効果】
【００１５】
この発明によれば、第１の解像度の画像信号に係る第１の符号化画像信号が入力されるとき、第１の解像度の画像信号の左上、左下、右上、右下の各領域の画素信号をそれぞれ左上、左下、右上、右下の画面用信号として出力し、第１の解像度に対して水平、垂直の画素数が半分の第２の解像度の左目画像信号および右目画像信号に係る第２の符号化画像信号が入力されるとき、第２の解像度の左目画像信号および右目画像信号をそれぞれ左上、左下、右上、右下の画面用信号のうちの所定の画面用信号として出力するものであり、例えばプロジェクタへの画像信号の供給を適切に行うことができる。
【発明を実施するための最良の形態】
【００１６】
以下、発明を実施するための最良の形態（以下、「実施の形態」とする）について説明する。なお、説明は以下の順序で行う。
１．実施の形態
２．変形例
【００１７】
＜１．実施の形態＞
［画像投射装置の構成例］
図１〜図３は、実施の形態としての画像投射装置１０の構成例を示している。この画像投射装置１０は、サーバ１００と、プロジェクタ２００を有している。サーバ１００は、プロジェクタ２００に画像信号を供給する。プロジェクタ２００は、サーバ１１０から供給される画像信号による画像をスクリーンに投射する。
【００１８】
プロジェクタ２００は、図示していないが、有効画素が４０９６×２１６０の液晶パネル（４ｋ液晶パネル）を搭載している。また、このプロジェクタ２００は、４個の入力端子ＩＮ１〜ＩＮ４を備えている。入力端子ＩＮ４は左上画面用の信号を入力する端子である。入力端子ＩＮ２は左下画面用の信号を入力する端子である。入力端子ＩＮ３は右上画面用の信号を入力する端子である。入力端子ＩＮ４は右下画面用の信号を入力する端子である。サーバ１００は、プロジェクタ２００の入力端子ＩＮ１〜ＩＮ４に対応して、４個の出力端子ＯＴ１〜ＯＴ４を備えている。
【００１９】
図１（ａ）は、４ｋ画像（４０９６×２１６０画素の画像）の表示時における構成を示している。この場合、サーバ１００の出力端子ＯＴ１には、４ｋ画像信号（４０９６×２１６０画素の解像度の画像信号）を構成する各画素の信号のうち、左上画像領域の信号Ｓ(LU)が左上画面用の信号として出力される。また、サーバ１００の出力端子ＯＴ２には、４ｋ画像信号を構成する各画素の信号のうち、左下画像領域の信号Ｓ(LD)が左下画面用の信号として出力される。また、サーバ１００の出力端子ＯＴ３には、４ｋ画像信号を構成する各画素の信号のうち、右上画像領域の信号Ｓ(RU)が右上画面用の信号として出力される。また、サーバ１００の出力端子ＯＴ４には、４ｋ画像信号を構成する各画素の信号のうち、右下画像領域の信号Ｓ(RD)が右下画面用の信号として出力される。
【００２０】
このように、４ｋ画像の表示時、サーバ１００からは、図１（ｂ）に示すように、画像信号が出力される。つまり、左上画像領域信号Ｓ(LU)が左上画面用信号として出力され、左下画像領域信号Ｓ(LD)が左下画面用信号として出力される。また、右上画像領域信号Ｓ(RU)が右上画面用信号として出力され、右下画像領域信号Ｓ(RD)が右下画面用の信号として出力される。サーバ１００の出力端子ＯＴ１，ＯＴ２，ＯＴ３，ＯＴ４に出力される信号Ｓ(LU)，Ｓ(LD)，Ｓ(RU)，Ｓ(RD)は、それぞれ、プロジェクタ２００の入力端子ＩＮ１，ＩＮ２，ＩＮ３，ＩＮ４に入力される。
【００２１】
この４ｋ画像の表示時、図４（ｂ）に示すように、液晶プロジェクタ２００の液晶パネル（４ｋ液晶パネル）２０１の表示画面２０１ａの全体に、画像Ｑ(LU)，Ｑ(LD)，Ｑ(RU)，Ｑ(RD)からなる４ｋ画像が表示される。すなわち、表示画面２０１ａの左上画像領域には、左上画像領域信号Ｓ(LU)による２ｋの左上画像Ｑ(LU)が表示される。表示画面２０１ａの左下画像領域には、左下画像領域信号Ｓ(LD)による２ｋの左下画像Ｑ(LD)が表示される。表示画面２０１ａの右上画像領域には、右画像領域信号Ｓ(RU)による２ｋの右上画像Ｑ(RU)が表示される。表示画面２０１ａの右下画像領域には、右下画像領域信号Ｓ(RD)による２ｋの右下画像Ｑ(RD)が表示される。
【００２２】
そして、４ｋ画像の表示時、図１（ａ）、図４（ａ）に示すように、液晶パネル２０１に表示された上述の４ｋ画像が、通常の投射レンズ３００Ａにより、スクリーン４００に投射される。スクリーン４００には、４ｋ画像Ｐ4kが表示される。
【００２３】
図２（ａ）は、立体画像表示のための２ｋ左目画像、２ｋ右目画像の同時表示時（２ｋ３Ｄ画像の表示時）における構成を示している。この場合、サーバ１００の出力端子ＯＴ１には、２ｋ左目画像信号（２０４８×１０８０画素の解像度の画像信号）ＳＬを構成する各画素の信号が左上画面用の信号として出力される。また、サーバ１００の出力端子ＯＴ３には、２ｋ右目画像信号（２０４８×１０８０画素の解像度の画像信号）ＳＲを構成する各画素の信号が右上画面用の信号として出力される。
【００２４】
このように、２ｋ３Ｄ画像の表示時、サーバ１００からは、図２（ｂ）に示すように、画像信号が出力される。つまり、２ｋ左目画像信号ＳＬが左上画面用信号として出力され、２ｋ右目画像信号ＳＲが右上画面用信号として出力される。サーバ１００の出力端子ＯＴ１，ＯＴ３に出力される信号ＳＬ，ＳＲは、それぞれ、プロジェクタ２００の入力端子ＩＮ１，ＩＮ３に入力される。
【００２５】
この２ｋ３Ｄ画像の表示時、図５（ｂ）に示すように、液晶プロジェクタ２００の液晶パネル（４ｋ液晶パネル）２０１の表示画面２０１ａの一部に、２ｋ左目画像ＱＬおよび２ｋ右目画像ＱＲが同時に表示される。この場合、表示画面２０１ａの上側中央領域には、右目画像信号ＳＲによる２ｋの右目画像ＱＲが表示される。表示画面２０１ａの下側中央領域には、左目画像信号ＳＬによる２ｋの左目画像ＱＬが表示される。
【００２６】
そして、この２ｋ３Ｄ画像の表示時、図２（ａ）、図５（ａ）に示すように、液晶プロジェクタ２００の液晶パネル（４ｋ液晶パネル）２０１に表示された２ｋ左目画像ＱＬ、２ｋ右目画像ＱＲが、３Ｄ用の投射光学系３００Ｂにより、スクリーン４００に投射される。スクリーン４００には、２ｋ左目画像Ｐ2kLおよび２ｋ右目画像Ｐ2kRが重ねて表示される。
【００２７】
ここで、投射光学系３００Ｂについて説明する。この投射光学系３００Ｂは、リレーレンズ３０１、プリズムブロック３０２、左目画像用の投射レンズ３０３Ｌ、右目画像用の投射レンズ３０３Ｒ、左目画像用の偏光制御フィルタ３０４Ｌおよび右目画像用の偏光制御フィルタ３０４Ｒにより構成されている。ここで、偏光制御フィルタ３０４Ｌは、円偏光を第１の直線偏光（垂直偏光、水平偏光のうちの一方）に変換する。一方、偏光制御フィルタ３０４Ｒは、円偏光を第２の直線偏光（垂直偏光、水平偏光のうちの他方）に変換する。
【００２８】
液晶パネル２０１に表示された２ｋ左目画像ＱＬからの光線は、リレーレンズ３０１、プリズムブロック３０２、投射レンズ３０３Ｌおよび偏光制御フィルタ３０４Ｌを通じて、スクリーン４００に投射される。これにより、スクリーン４００には、第１の偏光による２ｋの左目画像Ｐ2kLが表示される。また、液晶パネル２０１に表示された２ｋ右目画像ＱＲからの光線は、リレーレンズ３０１、プリズムブロック３０２、投射レンズ３０３Ｒおよび偏光制御フィルタ３０４Ｒを通じて、スクリーン４００に投射される。これにより、スクリーン４００には、第２の偏光による２ｋの右目画像Ｐ2kRが、上述の２ｋの左目画像Ｐ2kLに重ねて表示される。
【００２９】
なお、視聴者は、スクリーン４００に重ねて表示される左目画像Ｐ2kLおよび右目画像Ｐ2kRを、図示しない立体視用メガネを通して見ることにより、立体画像を視認できる。この立体視用メガネは、左目用フィルタと右目用フィルタを備えている。左目用フィルタは、スクリーン４００に表示された左目画像Ｐ2kLを形成する第１の偏光を透過する偏光フィルタである。また、右目用フィルタは、スクリーン４００に表示された右目画像Ｐ2kRを形成する第２の偏光を透過する偏光フィルタである。
【００３０】
このように、２ｋ３Ｄ画像の表示時、サーバ１００において、出力端子ＯＴ１に２ｋ左目画像信号ＳＬが左上画面用信号として出力され、出力端子ＯＴ３に２ｋ右目画像信号ＳＲが右上画面用信号として出力される。そして、プロジェクタ２００の入力端子ＩＮ１に左上画面用信号として２ｋ左目画像信号ＳＬが供給され、その入力端子ＩＮ３に右上画面用信号として２ｋ右目画像信号ＳＲが供給される。したがって、プロジェクタ２００の液晶パネル２０１の表示画面２０１ａの一部分に２ｋ左目画像ＱＬ及び２ｋ右目画像ＱＲを表示でき、３Ｄ用投射光学系３００Ｂにより、スクリーン４００に、２ｋ左目画像Ｐ2kL及び２ｋ右目画像Ｐ2kRを重ねて表示できる。そして、視聴者に、立体画像を、良好に視認させることができる。
【００３１】
図３（ａ）は、２ｋ画像（２０４８×１０８０画素の画像）の表示時（２ｋ２Ｄ画像の表示時）における構成を示している。この場合、サーバ１００の出力端子ＯＴ１には、２ｋ画像信号ＳＡを構成する各画素の信号が左上画面用の信号として出力される。また、サーバ１００の出力端子ＯＴ３には、同様に、２ｋ画像信号ＳＡを構成する各画素の信号が右上画面用の信号として出力される。
【００３２】
このように、２ｋ２Ｄ画像の表示時、サーバ１００からは、図３（ｂ）に示すように、画像信号が出力される。つまり、２ｋ画像信号ＳＡが左上画面用信号として出力され、同じ２ｋ画像信号ＳＡが右上画面用信号として出力される。サーバ１００の出力端子ＯＴ１，ＯＴ３に出力される信号ＳＡ，ＳＡは、それぞれ、プロジェクタ２００の入力端子ＩＮ１，ＩＮ３に入力される。
【００３３】
この２ｋ２Ｄ画像の表示時、図６（ｂ）に示すように、液晶プロジェクタ２００の液晶パネル（４ｋ液晶パネル）２０１の表示画面２０１ａの一部に、同一の２つの２ｋ画像ＱＡ，ＱＡが同時に表示される。この場合、表示画面２０１ａの上側中央領域には、２ｋ画像信号ＳＡによる２ｋ画像ＱＡが表示される。表示画面２０１ａの下側中央領域にも、２ｋ画像信号ＳＡによる２ｋ画像ＱＡが表示される。
【００３４】
そして、この２ｋ２Ｄ画像の表示時、図３（ａ）、図６（ａ）に示すように、液晶プロジェクタ２００の液晶パネル（４ｋ液晶パネル）２０１に表示された２個の２ｋ画像ＱＡが、３Ｄ用の投射光学系３００Ｂにより、スクリーン４００に投射される。スクリーン４００には、同一の２つの２ｋ画像Ｐ2k，Ｐ2kが重ねて表示される。
【００３５】
このように、２ｋ２Ｄ画像の表示時、サーバ１００において、出力端子ＯＴ１に２ｋ画像信号ＳＡが左上画面用信号として出力されると共に、出力端子ＯＴ３に同じ２ｋ画像信号ＳＡが右上画面用信号として出力される。そのため、プロジェクタ２００の液晶パネル２０１の表示画面２０１ａの上述した２ｋ左目画像ＱＬおよび２ｋ右目画像ＱＲの表示位置に、それぞれ、同一の２ｋ画像ＱＡが表示される。そして、これらの画像は３Ｄ用の投射光学系３００Ｂを用いてスクリーンに重ねて投射される。したがって、３Ｄ用の投射光学系３００Ｂをそのまま用いて、スクリーン４００に、２ｋ画像Ｐ2kを表示できる。つまり、２ｋ３Ｄ画像表示と２ｋ２Ｄ画像表示とを切り換える度に投射光学系を交換する必要がなくなる。
【００３６】
［サーバの構成例］
次に、サーバ１００の構成例について説明する。図７は、サーバ１００の構成例を示している。このサーバ１００は、コンテンツ記憶部１０１と、分離部１０２と、デコード部１０３ａ〜１０３ｄと、ベースバンド出力変換部１０４と、出力端子ＯＴ１〜ＯＴ４を有している。
【００３７】
コンテンツ記憶部１０１は、画像コンテンツを記憶する。このコンテンツ記憶部１０１は、例えば、ＲＡＩＤ（Redundant Arrays of Inexpensive Disks）等により構成されている。この実施の形態において、コンテンツ記憶部１０１には、ＪＰＥＧ２０００で符号化された、４ｋ画像表示用の画像コンテンツ、２ｋ３Ｄ画像表示用の画像コンテンツ、２ｋ２Ｄ画像表示用の画像コンテンツ等が記憶されている。
【００３８】
分離部１０２は、コンテンツ記憶部１０１から再生された所定の画像コンテンツの符号化データストリーム（符号化画像信号）を、フレーム毎に分離し、デコード部１０３ａ〜１０３ｄに、順次振り分けて供給する。すなわち、分離部１０２は、連続する４フレーム分の符号化フレームデータ毎に、第１、第２、第３、第４のフレームデータをそれぞれデコード部１０３ａ，１０３ｂ，１０３ｃ，１０３ｄに供給する。この実施の形態では、このように符号化データストリームの各符号化フレームデータをデコード部１０３ａ〜１０３ｄに振り分けることで、１つのデコード部における処理負荷を軽減して、符号化データストリームの連続的な復号化を可能としている。
【００３９】
ここで、ＪＰＥＧ２０００で符号化された符号化データストリーム（ＪＰＥＧ２０００ストリーム）の構造について説明する。図８は、ＪＰＥＧ２０００ストリームの構造の一例を示している。図８（ａ）は、４ｋ画像表示用の画像コンテンツに係るＪＰＥＧ２０００ストリームの構造を示している。この場合、ＪＰＥＧ２０００ストリームは、符号化フレームデータが連続したものとなっている。各符号化フレームデータは、先頭のヘッダと、それに続く、２ｋ画像成分および４ｋ画像成分からなっている。２ｋ画像成分は、コンポーネントデータ２ｋｃｏｍｐ１，２ｋ ｃｏｍｐ２，２ｋ ｃｏｍｐ３により構成されている。また、４ｋ画像成分は、コンポーネントデータ４ｋ ｃｏｍｐ１，４ｋ ｃｏｍｐ２，４ｋ ｃｏｍｐ３により構成されている。
【００４０】
ここで、各コンポーネントデータは、Ｘ，Ｙ，Ｚ表色系、Ｒ，Ｇ，Ｂ表色系等の色データである。この実施の形態において、各コンポーネントデータは、Ｘ，Ｙ，Ｚ表色系の色データであるとする。すなわち、コンポーネントデータ２ｋｃｏｍｐ１，４ｋ ｃｏｍｐ１は、Ｘデータの２ｋ画像成分、４ｋ画像成分である。コンポーネントデータ２ｋ ｃｏｍｐ２，４ｋ ｃｏｍｐ２は、Ｙデータの２ｋ画像成分、４ｋ画像成分である。コンポーネントデータ２ｋｃｏｍｐ３，４ｋ ｃｏｍｐ３は、Ｚデータの２ｋ画像成分、４ｋ画像成分である。
【００４１】
図８（ｂ）は、２ｋ３Ｄ画像表示用の画像コンテンツに係るＪＰＥＧ２０００ストリームの構造を示している。この場合、ＪＰＥＧ２０００ストリームは、左目画像（Ｌ画像）の符号化フレームデータと右目画像（Ｒ画像）の符号化フレームデータが交互に連続したものとなっている。左目画像の符号化フレームデータは、先頭のヘッダと、それに続く、２ｋ左目画像成分であるコンポーネントデータ２ｋＬｃｈ ｃｏｍｐ１，２ｋ Ｌｃｈ ｃｏｍｐ２，２ｋ Ｌｃｈ ｃｏｍｐ３からなっている。ここで、コンポーネントデータ２ｋ Ｌｃｈ ｃｏｍｐ１は、Ｘ，Ｙ，Ｚ表色系のＸデータである。コンポーネントデータ２ｋＬｃｈ ｃｏｍｐ２は、Ｘ，Ｙ，Ｚ表色系のＹデータである。コンポーネントデータ２ｋ Ｌｃｈ ｃｏｍｐ３は、Ｘ，Ｙ，Ｚ表色系のＺデータである。なお、詳細説明は省略するが、右眼画像の符号化フレームデータも、上述した左目画像の符号化フレームデータと同様の構造となっている。
【００４２】
図８（ｃ）は、２ｋ２Ｄ画像表示用の画像コンテンツに係るＪＰＥＧ２０００ストリームの構造を示している。この場合、ＪＰＥＧ２０００ストリームは、符号化フレームデータが連続したものとなっている。各符号化フレームデータは、先頭のヘッダと、それに続く、２ｋ画像成分であるコンポーネントデータ２ｋｃｏｍｐ１，２ｋ ｃｏｍｐ２，２ｋ ｃｏｍｐ３からなっている。ここで、コンポーネントデータ２ｋ ｃｏｍｐ１は、Ｘ，Ｙ，Ｚ表色系のＸデータである。コンポーネントデータ２ｋｃｏｍｐ２は、Ｘ，Ｙ，Ｚ表色系のＹデータである。コンポーネントデータ２ｋ ｃｏｍｐ３は、Ｘ，Ｙ，Ｚ表色系のＺデータである。
【００４３】
図７に戻って、デコード部１０３ａ，１０３ｂ，１０３ｃ，１０３ｄは、分離部１０２から順次供給される符号化フレームデータに対して復号化処理（デコード処理）を行ってＸ，Ｙ，Ｚ表色系の色データ（Ｘ，Ｙ，Ｚの色データ）を得る。また、デコード部１０３ａ，１０３ｂ，１０３ｃ，１０３ｄは、このＸ，Ｙ，Ｚ表色系の色データをＲ，Ｇ，Ｂ表色系の色データ（Ｒ，Ｇ，Ｂの色データ）に変換して出力する。
【００４４】
図９は、ＪＰＥＧ２０００ストリームのデコード部の一般的な処理手順を示している。各処理は従来周知の処理であるので詳細説明は省略するが、ＪＰＥＧ２０００ストリームに対して、符号順序制御、算術復号化、係数モデリング、逆量子化、ウェーブレット逆変換等の処理が順次行われて、ベースバンドデータが得られる。
【００４５】
図７に戻って、ベースバンド出力変換部１０４は、デコード部１０３ａ，１０３ｂ，１０３ｃ，１０３ｄで得られた画像信号（Ｒ，Ｇ，Ｂの色データ）を構成する各画素の信号を、画面に対応付けて出力する。すなわち、４ｋ画像表示時には、デコード部１０３ａ，１０３ｂ，１０３ｃ，１０３ｄから、４ｋ画像信号が得られる。ベースバンド出力変換部１０４は、この４ｋ画像表示時には、４ｋ画像信号（４０９６×２１６０画素の解像度の画像信号）を構成する各画素の信号を、４領域の信号に振り分けて、出力端子ＯＴ１，ＯＴ２，ＯＴ３，ＯＴ４に出力する。
【００４６】
つまり、ベースバンド出力変換部１０４は、４ｋ画像信号を構成する各画素の信号のうち、左上画像領域の信号Ｓ(LU)を、左上画面用の信号として、出力端子ＯＴ１に出力する。また、ベースバンド出力変換部１０４は、４ｋ画像信号を構成する各画素の信号のうち、左下画像領域の信号Ｓ(LD)を、左下画面用の信号として、出力端子ＯＴ２に出力する。また、ベースバンド出力変換部１０４は、４ｋ画像信号を構成する各画素の信号のうち、右上画像領域の信号Ｓ(RU)を、右上画面用の信号として、出力端子ＯＴ３に出力する。また、ベースバンド出力変換部１０４は、４ｋ画像信号を構成する各画素の信号のうち、右下画像領域の信号Ｓ(RD)を、右下画面用の信号として、出力端子ＯＴ４に出力する。
【００４７】
また、２ｋ３Ｄ画像表示時には、デコード部１０３ａ，１０３ｂ，１０３ｃ，１０３ｄから、２ｋ左目画像信号（２０４８×１０８０画素の解像度の画像信号）および２ｋ右目画像信号（２０４８×１０８０画素の解像度の画像信号）が得られる。ベースバンド出力変換部１０４は、この２ｋ３Ｄ画像表示時には、２ｋ左目画像信号ＳＬを構成する各画素の信号を、左上画面用の信号として、出力端子ＯＴ１に出力する。また、ベースバンド出力変換部１０４は、この２ｋ３Ｄ画像表示時には、２ｋ右目画像信号ＳＲを構成する各画素の信号を、右上画面用の信号として、出力端子ＯＴ３に出力する。
【００４８】
また、２ｋ２Ｄ画像表示時には、デコード部１０３ａ，１０３ｂ，１０３ｃ，１０３ｄから、２ｋ画像信号（２０４８×１０８０画素の解像度の画像信号）が得られる。ベースバンド出力変換部１０４は、この２ｋ２Ｄ画像表示時には、２ｋ画像信号ＳＡを構成する各画素の信号を、左上画面用の信号として、出力端子ＯＴ１に出力する。また、ベースバンド出力変換部１０４は、この２ｋ２Ｄ画像表示時には、２ｋ画像信号ＳＡを構成する各画素の信号を、右上画面用の信号として、出力端子ＯＴ３に出力する。
【００４９】
図７に示すサーバ１００の動作を説明する。最初に４ｋ画像表示時の動作を説明する。コンテンツ記憶部１０１からは４ｋ画像表示用の画像コンテンツの符号化データストリーム（符号化画像信号）（図８（ａ）参照）が再生され、この符号化データストリームは分離部１０２に供給される。分離部１０２では、この符号化データストリームが、フレーム毎に分離され、デコード部１０３ａ〜１０３ｄに、順次振り分けられて供給される。
【００５０】
デコード部１０３ａ〜１０３ｄでは、符号化フレームデータに対して復号化処理が行われ、さらにＸ，Ｙ，Ｚ表色系からＲ，Ｇ，Ｂ表色系への変換処理が行われ、４ｋ画像信号が、Ｒ，Ｇ，Ｂデータとして得られる。このようにデコード部１０３ａ〜１０３ｄで得られる４ｋ画像信号は、ベースバンド出力変換部１０４に供給される。
【００５１】
ベースバンド出力変換部１０４では、４ｋ画像信号（４０９６×２１６０画素の解像度の画像信号）を構成する各画素の信号が、４領域の信号に振り分けて、出力端子ＯＴ１，ＯＴ２，ＯＴ３，ＯＴ４に出力される。すなわち、４ｋ画像信号を構成する各画素の信号のうち、左上画像領域信号Ｓ(LU)、左下画像領域信号Ｓ(LD)、右上画像領域信号Ｓ(RU)、右下画像領域の信号Ｓ(RD)が、左上画面用信号、左下画面用信号、右上画面用信号、右下画面用信号として、出力される。
【００５２】
次に、２ｋ３Ｄ画像表示時の動作を説明する。コンテンツ記憶部１０１からは２ｋ３Ｄ画像表示用の画像コンテンツの符号化データストリーム（符号化画像信号）（図８（ｂ）参照）が再生され、この符号化データストリームは分離部１０２に供給される。分離部１０２では、この符号化データストリームが、フレーム毎に分離され、デコード部１０３ａ〜１０３ｄに、順次振り分けられて供給される。
【００５３】
デコード部１０３ａ〜１０３ｄでは、符号化フレームデータに対して復号化処理が行われ、さらにＸ，Ｙ，Ｚ表色系からＲ，Ｇ，Ｂ表色系への変換処理が行われ、２ｋ左目画像信号、２ｋ右目画像信号が、Ｒ，Ｇ，Ｂデータとして得られる。このようにデコード部１０３ａ〜１０３ｄで得られる２ｋ左目画像信号ＳＬ、２ｋ右目画像信号ＳＲは、ベースバンド出力変換部１０４に供給される。
【００５４】
ベースバンド出力変換部１０４では、２ｋ左目画像信号ＳＬを構成する各画素の信号が、左上画面用の信号として、出力端子ＯＴ１に出力される。また、ベースバンド変換部１０４では、２ｋ右目画像信号ＳＲを構成する各画素の信号が、右上画面用の信号として、出力端子ＯＴ３に出力される。
【００５５】
次に、２ｋ２Ｄ画像表示時の動作を説明する。コンテンツ記憶部１０１からは２ｋ２Ｄ画像表示用の画像コンテンツの符号化データストリーム（符号化画像信号）（図８（ｃ）参照）が再生され、この符号化データストリームは分離部１０２に供給される。分離部１０２では、この符号化データストリームが、フレーム毎に分離され、デコード部１０３ａ〜１０３ｄに、順次振り分けられて供給される。
【００５６】
デコード部１０３ａ〜１０３ｄでは、符号化フレームデータに対して復号化処理が行われ、さらにＸ，Ｙ，Ｚ表色系からＲ，Ｇ，Ｂ表色系への変換処理が行われ、２ｋ画像信号が、Ｒ，Ｇ，Ｂデータとして得られる。このようにデコード部１０３ａ〜１０３ｄで得られる２ｋ画像信号ＳＡは、ベースバンド出力変換部１０４に供給される。
【００５７】
ベースバンド出力変換部１０４では、２ｋ画像信号ＳＡを構成する各画素の信号が、左上画面用の信号として、出力端子ＯＴ１に出力される。また、ベースバンド変換部１０４では、２ｋ画像信号ＳＡを構成する各画素の信号が、右上画面用の信号として、出力端子ＯＴ３に出力される。
【００５８】
［デコード部の構成例］
次に、デコード部１０３（１０３ａ〜１０３ｄ）の構成例を説明する。図１０は、デコード部１０３の構成例を示している。デコード部１０３は、ＦＰＧＡ（Field Programmable Gate Array）部１１０を有している。また、デコード部１０３は、復号化処理部として機能する、ＤＳＰ（Digital Signal Processor）１３０Ｘａ，１３０Ｘｂ，１３０Ｙａ，１３０Ｙｂ，１３０Ｚａ，１３０Ｚｂを有している。また、デコード部１０３は、データバッファとして機能するＤＤＲＳＤＲＡＭ（Double Data Rate SDRAM）１４０Ｘ，１４０Ｙ，１４０Ｚを有している。
【００５９】
ＤＳＰ１３０Ｘａ，１３０ＸｂおよびＤＤＲ ＳＤＲＡＭ１４０Ｘは、Ｘデータの処理のために使用される。ＤＳＰ１３０Ｙａ，１３０ＹｂおよびＤＤＲＳＤＲＡＭ１４０Ｙは、Ｙデータの処理のために使用される。さらに、ＤＳＰ１３０Ｚａ，１３０ＺｂおよびＤＤＲ ＳＤＲＡＭ１４０Ｚは、Ｚデータの処理のために使用される。
【００６０】
また、ＦＰＧＡ部１１０は、ホストインタフェース（Host I/F）１１１と、ＤＳＰインタフェース（DSP I/F）１１２Ｘ，１１２Ｙ，１１２Ｚと、ＤＤＲインタフェース１１３Ｘ，１１３Ｙ，１１３Ｚと、入力インタフェース（input I/F）１１７を有している。ホストインタフェース１１１は、外部のホストコンピュータ（ＣＰＵ）１５０を接続するためのインタフェースである。ＤＳＰインタフェース１１２Ｘ，１１２Ｙ，１１２Ｚは、それぞれ、Ｘデータ用、Ｙデータ用、Ｚデータ用のＤＳＰを接続するためのインタフェースである。ＤＤＲインタフェース１１３Ｘ，１１３Ｙ，１１３Ｚは、それぞれ、Ｘデータ用、Ｙデータ用、Ｚデータ用のＤＤＲＳＤＲＡＭを接続するためのインタフェースである。入力インタフェース１１７は、ＪＰＥＧ２０００ストリーム（符号化データストリーム）を入力するためのインタフェースである。
【００６１】
また、ＦＰＧＡ部１１０は、色変換前処理部１１４Ｘ，１１４Ｙ，１１４Ｚと、セレクト部１１５Ｘ，１１５Ｙ，１１５Ｚと、色変換部１１６を有している。色変換前処理部１１４Ｘ、セレクト部１１５Ｘは、Ｘデータ用の回路である。色変換前処理部１１４Ｙ、セレクト部１１５Ｙは、Ｙデータ用の回路である。色変換前処理部１１４Ｚ、セレクト部１１５Ｚは、Ｚデータ用の回路である。
【００６２】
色変換前処理部１１４Ｘ，１１４Ｙ，１１４Ｚは、２ｋベースバンドデータのビットアライメントをとるために使用される。セレクト部１１５Ｘ，１１５Ｙ，１１５Ｚは出力データを選択するために使用される。色変換部１１６は、Ｘ，Ｙ，Ｚ表色系の色データをＲ，Ｇ，Ｂ表色系の色データに変換するために使用される。
【００６３】
図１０に示すデコード部１０３の動作を説明する。最初に４ｋ画像表示用の画像コンテンツのＪＰＥＧ２０００ストリーム（符号化データストリーム）に対する復号化処理時（４ｋデコード時）の動作を説明する。図１１は、４ｋデコード時におけるデコード部１０３の各部の信号等を示している。また、図１２のフローチャートは、４ｋデコード時における処理手順を示している。４ｋデコード時の動作を、図１２のフローチャートに沿って説明する。
【００６４】
デコード部１０３は、復号化処理を開始する前に、ステップＳＴ１において、外部のホストコンピュータ１５０から各ＤＳＰに、インタフェース１１１、１１２Ｘ〜１１２Ｚを通じて、復号化処理のためのファームウェア（firmware）をダウンロードする。この場合、ＤＳＰ（ＤＳＰ１）１３０Ｘａ，ＤＳＰ（ＤＳＰ１）１３０Ｙａ，ＤＳＰ（ＤＳＰ１）１３０Ｚａには、２ｋ画像成分の復号化処理のためのファームウェア（2k firmware）がダウンロードされる。また、ＤＳＰ（ＤＳＰ２）１３０Ｘｂ，ＤＳＰ（ＤＳＰ２）１３０Ｙｂ，ＤＳＰ（ＤＳＰ２）１３０Ｚｂには、４ｋ画像成分の復号化処理のためのファームウェア（4k firmware）がダウンロードされる。図１３（ａ）は、上述の各ＤＳＰ（ＤＳＰ１，ＤＳＰ２へのファームウェアのダウンロードを示している。
【００６５】
次に、デコード部１０３は、ステップＳＴ２において、ＪＰＥＧ２０００ストリーム（図８（ａ）参照）を、入力インタフェース１１７を通じて入力し、コンポーネント毎に、ＤＤＲＳＤＲＡＭ１４０Ｘ，１４０Ｙ，１４０Ｚに格納する。この場合、Ｘデータの２ｋ画像成分、４ｋ画像成分はＤＤＲ ＳＤＲＡＭ１４０Ｘに格納され、Ｙデータの２ｋ画像成分、４ｋ画像成分はＤＤＲＳＤＲＡＭ１４０Ｙに格納され、Ｚデータの２ｋ画像成分、４ｋ画像成分はＤＤＲ ＳＤＲＡＭ１４０Ｚに格納される。
【００６６】
次に、デコード部１０３は、ステップＳＴ３において、ＤＤＲ ＳＤＲＡＭ１４０Ｘ，１４０Ｙ，１４０Ｚに格納されたＪＰＥＧ２０００ストリームを、ＤＳＰインタフェース１１２Ｘ，１１２Ｙ，１１２Ｚを通じて、各ＤＳＰ（ＤＳＰ１，ＤＳＰ２）へ出力する。この場合、ＤＤＲＳＤＲＡＭ１４０Ｘに格納されていたＸデータの２ｋ画像成分は、ＤＳＰ（ＤＳＰ１）１３０Ｘａへ出力され、ＤＤＲ ＳＤＲＡＭ１４０Ｘに格納されていたＸデータの４ｋ画像成分は、ＤＳＰ（ＤＳＰ２）１３０Ｘｂへ出力される。また、ＤＤＲＳＤＲＡＭ１４０Ｙに格納されていたＹデータの２ｋ画像成分は、ＤＳＰ（ＤＳＰ１）１３０Ｙａへ出力され、ＤＤＲ ＳＤＲＡＭ１４０Ｙに格納されていたＹデータの４ｋ画像成分は、ＤＳＰ（ＤＳＰ２）１３０Ｙｂへ出力される。また、ＤＤＲＳＤＲＡＭ１４０Ｚに格納されていたＺデータの２ｋ画像成分は、ＤＳＰ（ＤＳＰ１）１３０Ｚａへ出力され、ＤＤＲ ＳＤＲＡＭ１４０Ｚに格納されていたＺデータの４ｋ画像成分は、ＤＳＰ（ＤＳＰ２）１３０Ｚｂへ出力される。
【００６７】
次に、デコード部１０３は、ステップＳＴ４において、ＤＳＰ（ＤＳＰ１）１３０Ｘａ、１３０Ｙａ，１３０Ｚａで、２ｋ画像成分を用いたデコード処理（復号化処理）を行って、２ｋ画像のベースバンドデータを得る。そして、デコード部１０３は、ステップＳＴ５において、ＤＳＰ（ＤＳＰ１）１３０Ｘａ、１３０Ｙａ，１３０Ｚａで得られた２ｋ画像のベースバンドデータをＤＳＰ（ＤＳＰ２）１３０Ｘｂ、１３０Ｙｂ，１３０Ｚｂへ出力する。また、デコード部１０３は、ステップＳＴ５において、ＤＳＰ（ＤＳＰ２）１３０Ｘｂ、１３０Ｙｂ，１３０Ｚｂで、２ｋ画像のベースバンドデータと４ｋ画像成分を用いたデコード処理を行って、４ｋ画像のベースバンドデータ（４ｋ画像信号）を得る。図１３（ｂ）は、ＤＳＰ１，ＤＳＰ２におけるデコード処理（復号化処理）に関係した信号の流れを示している。
【００６８】
次に、デコード部１０３は、ステップＳＴ６において、ＤＳＰ（ＤＳＰ２）１３０Ｘｂ、１３０Ｙｂ，１３０Ｚｂで得られた４ｋ画像のベースバンドデータを、セレクト回路１１５Ｘ，１１５Ｙ，１１５Ｚで選んで色変換部１１６に送る。そして、デコード部１０３は、色変換部１１６で、Ｘ，Ｙ，Ｚ表色系の色データを、Ｒ，Ｇ，Ｂ表色系の色データに変換して、出力する。
【００６９】
デコード部１０３は、ステップＳＴ２〜ステップＳＴ６の処理を、各符号化フレームデータに対して繰り返し行う。
【００７０】
次に、２ｋ３Ｄ画像表示用の画像コンテンツのＪＰＥＧ２０００ストリーム（符号化データストリーム）に対する復号化処理時（２ｋ３Ｄデコード時）の動作を説明する。図１４は、２ｋ３Ｄデコード時におけるデコード部１０３の各部の信号等を示している。また、図１５のフローチャートは、２ｋ３Ｄデコード時における処理手順を示している。２ｋ３Ｄデコード時の動作を、図１５のフローチャートに沿って説明する。
【００７１】
デコード部１０３は、復号化処理を開始する前に、ステップＳＴ１１において、外部のホストコンピュータ１５０から各ＤＳＰに、インタフェース１１１、１１２Ｘ〜１１２Ｚを通じて、復号化処理のためのファームウェア（firmware）をダウンロードする。この場合、ＤＳＰ（ＤＳＰ１）１３０Ｘａ，ＤＳＰ（ＤＳＰ１）１３０Ｙａ，ＤＳＰ（ＤＳＰ１）１３０Ｚａには、２ｋ成分の復号化処理のためのファームウェア（2k firmware）がダウンロードされる。また、ＤＳＰ（ＤＳＰ２）１３０Ｘｂ，ＤＳＰ（ＤＳＰ２）１３０Ｙｂ，ＤＳＰ（ＤＳＰ２）１３０Ｚｂにも、２ｋ成分の復号化処理のためのファームウェア（4k firmware）がダウンロードされる。図１６（ａ）は、上述の各ＤＳＰ（ＤＳＰ１，ＤＳＰ２）へのファームウェアのダウンロードを示している。
【００７２】
次に、デコード部１０３は、ステップＳＴ１２において、ＪＰＥＧ２０００ストリーム（図８（ｂ）参照）を、入力インタフェース１１７を通じて入力し、コンポーネント毎に、ＤＤＲＳＤＲＡＭ１４０Ｘ，１４０Ｙ，１４０Ｚに格納する。この場合、Ｘデータの２ｋ左目画像成分、２ｋ右目画像成分はＤＤＲ ＳＤＲＡＭ１４０Ｘに格納される。また、Ｙデータの２ｋ左目画像成分、２ｋ右目画像成分はＤＤＲＳＤＲＡＭ１４０Ｙに格納される。また、Ｚデータの２ｋ左目画像成分、４ｋ右目画像成分はＤＤＲ ＳＤＲＡＭ１４０Ｚに格納される。
【００７３】
次に、デコード部１０３は、ステップＳＴ１３において、ＤＤＲ ＳＤＲＡＭ１４０Ｘ，１４０Ｙ，１４０Ｚに格納されたＪＰＥＧ２０００ストリームを、ＤＳＰインタフェース１１２Ｘ，１１２Ｙ，１１２Ｚを通じて、各ＤＳＰ（ＤＳＰ１，ＤＳＰ２）へ出力する。この場合、ＤＤＲＳＤＲＡＭ１４０Ｘに格納されていたＸデータの２ｋ左目画像成分は、ＤＳＰ（ＤＳＰ１）１３０Ｘａへ出力され、ＤＤＲ ＳＤＲＡＭ１４０Ｘに格納されていたＸデータの２ｋ右目画像成分は、ＤＳＰ（ＤＳＰ２）１３０Ｘｂへ出力される。また、ＤＤＲＳＤＲＡＭ１４０Ｙに格納されていたＹデータの２ｋ左目画像成分は、ＤＳＰ（ＤＳＰ１）１３０Ｙａへ出力され、ＤＤＲ ＳＤＲＡＭ１４０Ｙに格納されていたＹデータの２ｋ右目画像成分は、ＤＳＰ（ＤＳＰ２）１３０Ｙｂへ出力される。また、ＤＤＲＳＤＲＡＭ１４０Ｚに格納されていたＺデータの２ｋ左目画像成分は、ＤＳＰ（ＤＳＰ１）１３０Ｚａへ出力され、ＤＤＲ ＳＤＲＡＭ１４０Ｚに格納されていたＺデータの２ｋ右目画像成分は、ＤＳＰ（ＤＳＰ２）１３０Ｚｂへ出力される。
【００７４】
次に、デコード部１０３は、ステップＳＴ１４において、各ＤＳＰ（ＤＳＰ１，ＤＳＰ２）で、２ｋ左目画像成分、２ｋ右目画像成分を用いたデコード処理（復号化処理）を行って、２ｋ左目画像、２ｋ右目画像のベースバンドデータを得る。そして、デコード部１０３は、ステップＳＴ１５において、色変換前処理部１１４Ｘ，１１４Ｙ，１１４Ｚで、各ＤＳＰ（ＤＳＰ１，ＤＳＰ２）で得られた２ｋ左目画像、２ｋ右目画像のベースバンドデータのビットアライメントをとる。そして、デコード部１０３は、２ｋ左目画像、２ｋ右目画像のベースバンドデータのビットアライメント結果を、ＤＤＲＳＤＲＡＭ１４０Ｘ，１４０Ｙ，１４０Ｚに格納する。図１６（ｂ）は、ＤＳＰ１，ＤＳＰ２におけるデコード処理（復号化処理）に関係した信号の流れを示している。
【００７５】
次に、デコード部１０３は、ステップＳＴ１６において、ＤＤＲ ＳＤＲＡＭ１４０Ｘ，１４０Ｙ，１４０Ｚに格納された２ｋ左目画像、２ｋ右目画像のベースバンドデータを、セレクト回路１１５Ｘ，１１５Ｙ，１１５Ｚで選んで色変換部１１６に送る。そして、デコード部１０３は、色変換部１１６で、Ｘ，Ｙ，Ｚ表色系の色データを、Ｒ，Ｇ，Ｂ表色系の色データに変換して、出力する。
【００７６】
デコード部１０３は、ステップＳＴ１２〜ステップＳＴ１６の処理を、各符号化フレームデータに対して繰り返し行う。
【００７７】
次に、２ｋ２Ｄ画像表示用の画像コンテンツのＪＰＥＧ２０００ストリーム（符号化データストリーム）に対する復号化処理時（２ｋ２Ｄデコード時）の動作を説明する。図１７は、２ｋ２Ｄデコード時におけるデコード部１０３の各部の信号等を示している。また、図１８のフローチャートは、２ｋ２Ｄデコード時における処理手順を示している。２ｋ２Ｄデコード時の動作を、図１８のフローチャートに沿って説明する。
【００７８】
デコード部１０３は、復号化処理を開始する前に、ステップＳＴ２１において、外部のホストコンピュータ１５０から各ＤＳＰに、インタフェース１１１、１１２Ｘ〜１１２Ｚを通じて、復号化処理のためのファームウェア（firmware）をダウンロードする。この場合、ＤＳＰ（ＤＳＰ１）１３０Ｘａ，ＤＳＰ（ＤＳＰ１）１３０Ｙａ，ＤＳＰ（ＤＳＰ１）１３０Ｚａには、２ｋ成分の復号化処理のためのファームウェア（2k firmware）がダウンロードされる。また、ＤＳＰ（ＤＳＰ２）１３０Ｘｂ，ＤＳＰ（ＤＳＰ２）１３０Ｙｂ，ＤＳＰ（ＤＳＰ２）１３０Ｚｂは、動作停止状態とされる。図１９（ａ）は、上述の各ＤＳＰ（ＤＳＰ１）へのファームウェアのダウンロードを示している。
【００７９】
次に、デコード部１０３は、ステップＳＴ２２において、ＪＰＥＧ２０００ストリーム（図８（ｃ）参照）を、入力インタフェース１１７を通じて入力し、コンポーネント毎に、ＤＤＲＳＤＲＡＭ１４０Ｘ，１４０Ｙ，１４０Ｚに格納する。この場合、Ｘデータの２ｋ画像成分はＤＤＲ ＳＤＲＡＭ１４０Ｘに格納され、Ｙデータの２ｋ画像成分はＤＤＲ ＳＤＲＡＭ１４０Ｙに格納され、Ｚデータの２ｋ画像成分はＤＤＲＳＤＲＡＭ１４０Ｚに格納される。
【００８０】
次に、デコード部１０３は、ステップＳＴ２３において、ＤＤＲ ＳＤＲＡＭ１４０Ｘ，１４０Ｙ，１４０Ｚに格納されたＪＰＥＧ２０００ストリームを、ＤＳＰインタフェース１１２Ｘ，１１２Ｙ，１１２Ｚを通じて、各ＤＳＰ（ＤＳＰ１）へ出力する。この場合、ＤＤＲＳＤＲＡＭ１４０Ｘに格納されていたＸデータの２ｋ画像成分は、ＤＳＰ（ＤＳＰ１）１３０Ｘａへ出力される。また、ＤＤＲ ＳＤＲＡＭ１４０Ｙに格納されていたＹデータの２ｋ画像成分は、ＤＳＰ（ＤＳＰ１）１３０Ｙａへ出力される。また、ＤＤＲＳＤＲＡＭ１４０Ｚに格納されていたＺデータの２ｋ画像成分は、ＤＳＰ（ＤＳＰ１）１３０Ｚａへ出力される。
【００８１】
次に、デコード部１０３は、ステップＳＴ２４において、各ＤＳＰ（ＤＳＰ１）で、２ｋ画像成分を用いたデコード処理（復号化処理）を行って、２ｋ画像のベースバンドデータを得る。そして、デコード部１０３は、ステップＳＴ２５において、色変換前処理部１１４Ｘ，１１４Ｙ，１１４Ｚで、各ＤＳＰ（ＤＳＰ１）で得られた２ｋ画像のベースバンドデータのビットアライメントをとる。そして、デコード部１０３は、２ｋ画像のベースバンドデータのビットアライメント結果を、ＤＤＲＳＤＲＡＭ１４０Ｘ，１４０Ｙ，１４０Ｚに格納する。図１９（ｂ）は、ＤＳＰ１，ＤＳＰ２におけるデコード処理（復号化処理）に関係した信号の流れを示している。
【００８２】
次に、デコード部１０３は、ステップＳＴ２６において、ＤＤＲ ＳＤＲＡＭ１４０Ｘ，１４０Ｙ，１４０Ｚに格納された２ｋ画像のベースバンドデータを、セレクト回路１１５Ｘ，１１５Ｙ，１１５Ｚで選んで色変換部１１６に送る。そして、デコード部１０３は、色変換部１１６で、Ｘ，Ｙ，Ｚ表色系の色データを、Ｒ，Ｇ，Ｂ表色系の色データに変換して、出力する。
【００８３】
デコード部１０３は、ステップＳＴ２２〜ステップＳＴ２６の処理を、各符号化フレームデータに対して繰り返し行う。
【００８４】
図１０に示すデコード部１０３においては、各ＤＳＰ（ＤＳＰ１，ＤＳＰ２）のファームウェアの切り替えが行われ、この各ＤＳＰが、４ｋデコード時、２ｋ３Ｄデコード時、２ｋ２Ｄデコード時の各デコード処理（復号化処理）に共通に用いられる。したがって、デコード部１０３を、回路規模を小さく、安価に構成できる。
【００８５】
＜２．変形例＞
なお、上述実施の形態において、ベースバンド出力変換部１０４は、２ｋ３Ｄ画像表示時に、左目画像信号ＳＬを左上画面用の信号として出力端子ＯＴ１に出力し、右目画像信号ＳＲを右上画面用の信号として出力端子ＯＴ３に出力する。しかし、左目画像信号ＳＬ、右目画像信号ＳＲを出力する出力端子の組み合わせはこれに限定されない。プロジェクタ２００の入力構成に応じて、他の出力端子の組み合わせが使用されてもよい。
【００８６】
また、上述実施の形態において、デコード部１０３は、２ｋ３Ｄデコード時に、ＤＳＰ１（ＤＳＰ１３０Ｘａ，１３０Ｙａ，１３０Ｚａ）側で左目画像信号成分を用いた復号化処理を行ってベースバンドの左目画像信号を得ている。また、デコード部１０３は、２ｋ３Ｄデコード時に、ＤＳＰ２（ＤＳＰ１３０Ｘｂ，１３０Ｙｂ，１３０Ｚｂ）側で右目画像信号成分を用いた復号化処理を行ってベースバンドの右目画像信号を得ている。しかし、ＤＳＰ１側で右目画像信号成分を用いた復号化処理を行い、ＤＳＰ２側で左目画像信号成分を用いた復号化処理を行ってもよい。
【００８７】
また、上述実施の形態においては、符号化画像信号（符号化データストリーム）としてＪＰＥＧ２０００ストリームを取り扱う例を示したが、その他の符号による符号化画像信号（符号化データストリーム）を取り扱う場合であっても、この発明を同様に適用できる。
【産業上の利用可能性】
【００８８】
この発明は、例えば４ｋ画像表示時、２ｋ３Ｄ画像表示時、２ｋ２Ｄ画像表示時などにプロジェクタへの画像信号の供給を適切に行うことができるものであり、４ｋ画像、２ｋ３Ｄ画像、２ｋ２Ｄ画像を切り替え表示し得る画像投射装置等に適用できる。
【図面の簡単な説明】
【００８９】
【図１】この発明の実施の形態としての画像投射装置（４ｋ画像表示時）の構成例を示すブロック図である。
【図２】この発明の実施の形態としての画像投射装置（２ｋ３Ｄ画像表示時）の構成例を示すブロック図である。
【図３】この発明の実施の形態としての画像投射装置（２ｋ２Ｄ画像表示時）の構成例を示すブロック図である。
【図４】４ｋ画像表示時における液晶パネルの表示画面の表示とスクリーンへの投射状態を説明するための図である。
【図５】２ｋ３Ｄ画像表示時における液晶パネルの表示画面の表示とスクリーンへの投射状態を説明するための図である。
【図６】２ｋ２Ｄ画像表示時における液晶パネルの表示画面の表示とスクリーンへの投射状態を説明するための図である。
【図７】サーバの構成例を示すブロック図である。
【図８】４ｋ画像表示用、２ｋ３Ｄ画像表示用、２ｋ２Ｄ画像表示用の各画像コンテンツに係るＪＰＥＧ２０００ストリーム構造を説明するための図である。
【図９】ＪＰＥＧ２０００ストリームのデコード部の一般的な処理手順を示す図である。
【図１０】デコード部の構成例を示す図である。
【図１１】４ｋデコード時におけるデコード部の各部の信号等を示す図である。
【図１２】４ｋデコード時におけるデコード部の処理手順を示すフローチャートである。
【図１３】４ｋデコード時における、デコード部の各ＤＳＰへのファームウェアのダウンロード、およびデコード部の各ＤＳＰに関係する信号の流れを示す図である。
【図１４】２ｋ３Ｄデコード時におけるデコード部の各部の信号等を示す図である。
【図１５】２ｋ３Ｄデコード時におけるデコード部の処理手順を示すフローチャートである。
【図１６】２ｋ３Ｄデコード時における、デコード部の各ＤＳＰへのファームウェアのダウンロード、およびデコード部の各ＤＳＰに関係する信号の流れを示す図である。
【図１７】２ｋ２Ｄデコード時におけるデコード部の各部の信号等を示す図である。
【図１８】２ｋ２Ｄデコード時におけるデコード部の処理手順を示すフローチャートである。
【図１９】２ｋ２Ｄデコード時における、デコード部の各ＤＳＰへのファームウェアのダウンロード、およびデコード部の各ＤＳＰに関係する信号の流れを示す図である。
【符号の説明】
【００９０】
１０・・・画像投射装置、１００・・・サーバ、１０１・・・コンテンツ記憶部、１０２・・・分離部、１０３，１０３ａ〜１０３ｄ・・・デコード部、１０４・・・ベースバンド出力変換部、１１０・・・ＦＰＧＡ部、１１１・・・ホストインタフェース、１１２Ｘ，１１２Ｙ，１１２Ｚ・・・ＤＳＰインタフェース、１１３Ｘ，１１３Ｙ，１１３Ｚ・・・ＤＤＲインタフェース、１１４Ｘ，１１４Ｙ，１１４Ｚ・・・色変換前処理部、１１５Ｘ，１１５Ｙ，１１５Ｚ・・・セレクト部、１１６・・・色変換部、１１７・・・入力インタフェース、１３０Ｘａ，１３０Ｘｂ，１３０Ｙａ，１３０Ｙｂ，１３０Ｚａ，１３０Ｚｂ・・・ＤＳＰ、１４０Ｘ，１４０Ｙ，１４０Ｚ・・・ＤＤＲＳＤＲＡＭ、１５０・・・ホストコンピュータ、２００・・・プロジェクタ、２０１・・・液晶パネル、２０１ａ・・・表示画面、３００Ａ・・・通常の投射レンズ、３００Ｂ・・・３Ｄ用の投射光学系、３０１・・・リレーレンズ、３０２・・・プリズムブロック、３０３Ｌ・・・左目画像用の投射レンズ、３０３Ｒ・・・右目画像用の投射レンズ、３０４Ｌ・・・左目画像用の偏光制御フィルタ、３０４Ｒ・・・右目画像用の偏光制御フィルタ、４００・・・スクリーン
【図１】
2010124352.tif 000003
【図２】
2010124352.tif 000004
【図３】
2010124352.tif 000005
【図４】
2010124352.tif 000006
【図５】
2010124352.tif 000007
【図６】
2010124352.tif 000008
【図７】
2010124352.tif 000009
【図８】
2010124352.tif 000010
【図９】
2010124352.tif 000011
【図１０】
2010124352.tif 000012
【図１１】
2010124352.tif 000013
【図１２】
2010124352.tif 000014
【図１３】
2010124352.tif 000015
【図１４】
2010124352.tif 000016
【図１５】
2010124352.tif 000017
【図１６】
2010124352.tif 000018
【図１７】
2010124352.tif 000019
【図１８】
2010124352.tif 000020
【図１９】
2010124352.tif 000021